(57)【要約】      （修正有）【課題】免許不要のスペクトルを有するＬＴＥ）／ＬＴＥ−Ａネットワーク中で、チャネル状態情報（ＣＳＩ）要求処理のための十分な基準信号を含む非周期的な基準信号を送信すること。【解決手段】失敗したクリアチャネル評価（ＣＣＡ）動作のために送信されない周期的な基準信号に依存する代わりに、ユーザ機器（ＵＥ）のためのオンデマンドの基準信号およびＣＳＩ要求を提供する、非周期的な基準信号が定義される。サービング基地局は、非周期的な基準信号が送信されることになるとシグナリングする、識別子を送信する。その後、指定されたサブフレーム中で非周期的な基準信号を送信する。基地局によってサービスされるＵＥは、識別子を受信し、基地局から受信された識別子信号を通じてＣＳＩ要求を識別し、その後、サービング基地局に送り返すために、非周期的基準信号に基づいてＣＳＩレポートを生成する。【選択図】図５
2020017994.tif 000002
【特許請求の範囲】
【請求項１】
ワイヤレス通信の方法であって、
基地局が、非周期的な基準信号の存在をシグナリングする識別子を送信することと、
前記基地局が、前記非周期的な基準信号を送信することと、
前記基地局が、１つまたは複数のユーザ機器（ＵＥ）からのチャネル状態情報（ＣＳＩ）レポートを受信すること、前記ＣＳＩレポートは、前記非周期的な基準信号に基づく、と
を備える、方法。
【請求項２】
前記基地局が、前記１つまたは複数のＵＥの各々に対するＵＥ固有のＣＳＩ要求を送信することをさらに備える、
請求項１に記載の方法。
【請求項３】
前記ＵＥ固有のＣＳＩ要求は、要求されたＣＳＩレポートのタイプの識別を含む、
請求項２に記載の方法。
【請求項４】
前記識別子は、制御チャネルの共通探索空間において送信される、
請求項１に記載の方法。
【請求項５】
前記非周期的な基準信号は、単一サブフレーム上で送信される基準信号リソースのパターンを含む、
請求項１に記載の方法。
【請求項６】
前記基地局が、複数の基準信号リソースのパターンから前記基準信号リソースのパターンを準静的に構成することをさらに備え、前記識別子は、前記構成された基準信号リソースのパターンをさらに識別する、
請求項５に記載の方法。
【請求項７】
前記基準信号リソースは、
ＣＳＩ基準信号（ＣＳＩ−ＲＳ）、
干渉測定リソース（ＩＭＲ）、または
共通基準信号（ＣＲＳ）
のうちの少なくとも１つを含む、請求項５に記載の方法。
【請求項８】
前記識別子および前記非周期的な基準信号は、同じサブフレーム中で送信される、または
前記識別子は、第１のサブフレーム中で送信され、前記非周期的な基準信号は、前記第１サブフレームの後の異なるサブフレーム上で送信される、
請求項１に記載の方法。
【請求項９】
ワイヤレス通信の方法であって、
ユーザ機器（ＵＥ）が、サブフレーム中の非周期的な基準信号の存在をシグナリングする識別子を検出することと、
前記ＵＥが、基地局からのチャネル状態情報（ＣＳＩ）要求を識別することと、
前記ＵＥが、前記ＣＳＩ要求に応じて前記非周期的な基準信号に基づいてＣＳＩレポートを生成することと、
前記ＵＥが、前記基地局に前記ＣＳＩレポートを送信することと
を備える、方法。
【請求項１０】
前記ＣＳＩ要求を前記識別することは、
前記基地局からのＵＥ固有のＣＳＩ要求を受信すること、または
前記基地局からの制御チャネルの共通探索空間において識別子を検出すること
のうちの１つを含む、請求項９に記載の方法。
【請求項１１】
前記ＵＥ固有のＣＳＩ要求は、要求されたＣＳＩレポートのタイプの識別を含む、
請求項１０に記載の方法。
【請求項１２】
前記非周期的な基準信号は、単一サブフレーム上で送信される基準信号リソースのパターンを含む、
請求項９に記載の方法。
【請求項１３】
前記識別子は、複数の基準信号リソースのパターンから前記基準信号リソースのパターンをさらに識別する、
請求項１２に記載の方法。
【請求項１４】
前記基準信号リソースは、
ＣＳＩ基準信号（ＣＳＩ−ＲＳ）、
干渉計測リソース（ＩＭＲ）、または
共通基準信号（ＣＲＳ）
のうちの少なくとも１つを含む、請求項１２に記載の方法。
【請求項１５】
前記識別子および前記非周期的な基準信号は、同じサブフレーム中で受信される、または
前記識別子は、第１のサブフレーム中で受信され、前記非周期的な基準信号は、前記第１サブフレームの後の異なるサブフレーム上で受信される、
請求項９に記載の方法。
【請求項１６】
ワイヤレス通信のために構成される装置であって
少なくとも１つのプロセッサと、
前記少なくとも１つのプロセッサに結合されるメモリと
を備え、前記少なくとも１つのプロセッサは、
基地局が、非周期的な基準信号の存在をシグナリングする識別子を送信することと、
前記基地局が、前記非周期的な基準信号を送信することと、
前記基地局が、１つまたは複数のユーザ機器（ＵＥ）からのチャネル状態情報（ＣＳＩ）レポートを受信すること、ここにおいて、前記ＣＳＩレポートは、前記非周期的な基準信号に基づく、と
を備える、装置。
【請求項１７】
前記基地局が、前記１つまたは複数のＵＥの各々に対するＵＥ固有のＣＳＩ要求を送信するように前記少なくとも１つのプロセッサの構成をさらに含む、
請求項１６に記載の装置。
【請求項１８】
前記ＵＥ固有のＣＳＩ要求は、要求されたＣＳＩレポートのタイプの識別を含む、
請求項１７に記載の装置。
【請求項１９】
前記識別子は、制御チャネルの共通探索空間において送信される、
請求項１６に記載の装置。
【請求項２０】
前記非周期的な基準信号は、単一サブフレーム上で送信される基準信号リソースのパターンを含む、
請求項１６に記載の装置。
【請求項２１】
前記基地局が、複数の基準信号リソースのパターンから前記基準信号リソースのパターンを準静的に構成する前記少なくとも１つのプロセッサの構成をさらに含み、前記識別子は、前記構成された基準信号リソースのパターンをさらに識別する、
請求項２０に記載の装置。
【請求項２２】
前記基準信号リソースは、
ＣＳＩ基準信号（ＣＳＩ−ＲＳ）、
干渉測定リソース（ＩＭＲ）、または
共通基準信号（ＣＲＳ）
のうちの少なくとも１つを含む、請求項２０に記載の装置。
【請求項２３】
前記識別子および前記非周期的な基準信号は、同じサブフレーム中で送信される、または
前記識別子は、第１のサブフレーム中で送信され、前記非周期的な基準信号は、前記第１サブフレームの後の異なるサブフレーム上で送信される、
請求項１６に記載の装置。
【請求項２４】
ワイヤレス通信の方法であって、
少なくとも１つのプロセッサと、
前記少なくとも１つのプロセッサに結合されるメモリと
を備え、前記少なくとも１つのプロセッサは、
ユーザ機器（ＵＥ）が、サブフレーム中の非周期的な基準信号の存在をシグナリングする識別子を検出することと、
前記ＵＥが、基地局からのチャネル状態情報（ＣＳＩ）要求を識別することと、
前記ＵＥが、前記ＣＳＩ要求に応じて前記非周期的な基準信号に基づいてＣＳＩレポートを生成することと、
前記ＵＥが、前記基地局に前記ＣＳＩレポートを送信することと
を行うように構成される、装置。
【請求項２５】
前記ＣＳＩ要求を識別する前記少なくとも１つのプロセッサの前記構成は、
前記基地局からのＵＥ固有のＣＳＩ要求を受信する前記少なくとも１つのプロセッサの構成、または
前記基地局からの制御チャネルの共通探索空間中に前記識別子を検出する前記少なくとも１つのプロセッサの前記構成
のうちの１つを含む、請求項２４に記載の装置。
【請求項２６】
前記ＵＥ固有のＣＳＩ要求は、要求されたＣＳＩレポートのタイプの識別を含む、
請求項２５に記載の装置。
【請求項２７】
前記非周期的な基準信号は、単一サブフレーム上で送信される基準信号リソースのパターンを含み、前記識別子は、複数の基準信号リソースのパターンから前記基準信号リソースのパターンをさらに識別する、
請求項２４に記載の装置。
【請求項２８】
前記基準信号リソースは、
ＣＳＩ基準信号（ＣＳＩ−ＲＳ）、
干渉計測リソース（ＩＭＲ）、または
共通基準信号（ＣＲＳ）
のうちの少なくとも１つを含む、請求項２７に記載の装置。
【請求項２９】
前記識別子および前記非周期的な基準信号は、同じサブフレーム中で受信される、または
前記識別子は、第１のサブフレーム中で受信され、前記非周期的な基準信号は、前記第１サブフレームの後の異なるサブフレーム上で受信される、
請求項２４に記載の装置。
【発明の詳細な説明】
【関連出願に対する相互参照】
【０００１】
[0001]本出願は、２０１４年８月１２日に出願された「CSI REQUEST PROCEDURE IN LTE/LTE-A WITH UNLICENSED SPECTRUM」と題された米国仮特許出願第６２／０３６，２９６号、および２０１５年８月４日に出願された「CSI REQUEST PROCEDURE IN LTE/LTE-A WITH UNLICENSED SPECTRUM」と題された米国特許出願第１４／８１８，０４９号の利益を主張し、それらは、その全体が本明細書に参照により明確に組み込まれる。
【技術分野】
【０００２】
[0002]本開示の態様は一般に、ワイヤレス通信システムに関し、より具体的には、免許不要のスペクトルについてのロングタームエボリューション（ＬＴＥ（登録商標））／ＬＴＥアドバンスト（ＬＴＥ−Ａ）ネットワーク中でのチャネル状態情報（ＣＳＩ）要求プロシージャに関する。
【背景技術】
【０００３】
[0003]ワイヤレス通信ネットワークは、音声、ビデオ、パケットデータ、メッセージング、ブロードキャストなどといった、様々な通信サービスを提供するために広く展開されている。これらのワイヤレスネットワークは、利用可能なネットワークリソースを共有することによって、複数のユーザをサポートすることができる多元接続ネットワークでありうる。通常は多元接続ネットワークであるこのようなネットワークは、利用可能なネットワークリソースを共有することによって複数のユーザのための通信をサポートする。そのようなネットワークの１つの例は、ユニバーサルテレストリアル無線アクセスネットワーク（ＵＴＲＡＮ：Universal Terrestrial Radio Access Network）である。ＵＴＲＡＮは、第３世代パートナーシッププロジェクト（３ＧＰＰ（登録商標）：3rd Generation Partnership Project）によってサポートされる第３世代（３Ｇ）携帯電話技術である、ユニバーサルモバイルテレコミュニケーションシステム（ＵＭＴＳ：Universal Mobile Telecommunications System）の一部として定義された無線アクセスネットワーク（ＲＡＮ）である。多元接続ネットワークフォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]ワイヤレス通信ネットワークは、多数のユーザ機器（ＵＥ）のための通信をサポートできる多数の基地局あるいはノードＢを含みうる。ＵＥは、ダウンリンクおよびアップリンクによって基地局と通信しうる。ダウンリンク（または順方向リンク）は、基地局からＵＥへの通信リンクを指し、アップリンク（または逆方向リンク）はＵＥから基地局への通信リンクを指す。
【０００５】
[0005]基地局は、ダウンリンク上でデータおよび制御情報をＵＥに送信し得る、および／または、アップリンク上でデータおよび制御情報をＵＥから受信し得る。ダウンリンク上で、基地局からの送信が、近隣の基地局からの、あるいは、その他のワイヤレス無線周波数（ＲＦ）送信機からの送信による干渉に遭遇しうる。アップリンク上で、ＵＥからの送信は、近隣基地局と通信している他のＵＥのアップリンク送信からの、または他のワイヤレスＲＦ送信機からの干渉に遭遇しうる。この干渉は、ダウンリンクとアップリンクの両方で性能を劣化させうる。
【０００６】
[0006]モバイルブロードバンド接続が増加し続けるにつれ、干渉および輻輳ネットワークの可能性は、長距離無線通信ネットワークにアクセスするより多くのＵＥとコミュニティで展開されているより多くの短距離無線システムを伴って増大する。研究と開発が、モバイルブロードバンドアクセスに対する高まる需要を満たすためだけでなく、ユーザのモバイル通信に対する経験を増進するためにＵＭＴＳ技術を促進し続けている。
【発明の概要】
【０００７】
[0007]開示の１つの態様では、ワイヤレス通信の方法は、基地局が、非周期的な基準信号の存在をシグナリングする識別子を送信することと、基地局が、非周期的な基準信号を送信することと、基地局が、１つまたは複数のＵＥからのチャネル情報情報（ＣＳＩ）レポートを受信すること、ここにおいて、ＣＳＩレポートは、非周期的な基準信号に基づくものである、とを含む。
【０００８】
[0008]開示の追加の態様では、ワイヤレス通信の方法は、ＵＥが、サブフレーム中の非周期的な基準信号の存在をシグナリングする識別子を検出することと、ＵＥが、基地局からＣＳＩ要求を識別することと、ＵＥが、ＣＳＩ要求に応じて、非周期的な基準信号に基づいてＣＳＩレポートを生成することと、ＵＥが、基地局にＣＳＩレポートを送信することとを含む。
【０００９】
[0009]開示の追加の態様では、ワイヤレス通信のために構成された装置は、基地局が、非周期的な基準信号の存在をシグナリングする識別子を送信するための手段と、基地局が、非周期的な基準信号を送信するための手段と、基地局が、１つまたは複数のＵＥからのＣＳＩレポートを受信するための手段、ここにおいて、ＣＳＩレポートは、非周期的な基準信号に基づくものである、とを含む。
【００１０】
[0010]開示の追加の態様では、ワイヤレス通信のために構成された装置は、ＵＥが、サブフレーム中の非周期的な基準信号の存在をシグナリングする識別子を検出するための手段と、ＵＥが、基地局からのＣＳＩ要求を識別するための手段と、ＵＥが、ＣＳＩ要求に応じて、非周期的な基準信号に基づいてＣＳＩレポートを生成するための手段と、ＵＥが、基地局にＣＳＩレポートを送信するための手段とを含む。
【００１１】
[0011]開示の追加の態様では、非一時的なコンピュータ可読媒体は、その上に記録されたプログラムコードを有する。このプログラムコードは、基地局が、非周期的な基準信号の存在をシグナリングする識別子を送信することと、基地局が、非周期的な基準信号を送信することと、基地局が、１つまたは複数のＵＥからのチャネル情報情報（ＣＳＩ）レポートを受信すること、ここにおいて、ＣＳＩレポートは、非周期的な基準信号に基づくものである、とを行うコードを含む。
【００１２】
[0012]開示の追加の態様では、非一時的なコンピュータ可読媒体は、その上に記録されたプログラムコードを有する。このプログラムコードは、ＵＥが、サブフレーム中の非周期的な基準信号の存在をシグナリングする識別子を検出することと、ＵＥが、基地局からＣＳＩ要求を識別することと、ＵＥが、ＣＳＩ要求に応じて、非周期記述信号に基づいてＣＳＩレポートを生成することと、ＵＥが、基地局にＣＳＩレポートを送信することとを行うコードを含む。
【００１３】
[0013]開示の追加の態様では、装置は、少なくとも１つのプロセッサと、プロセッサに結合されたメモリとを含む。プロセッサは、基地局が、非周期的な基準信号の存在をシグナリングする識別子を送信することと、基地局が、非周期的な基準信号を送信することと、基地局が、１つまたは複数のＵＥからのチャネル情報情報（ＣＳＩ）レポートを受信すること、ここにおいて、ＣＳＩレポートは、非周期的な基準信号に基づくものである、とを行うように構成される。
【００１４】
[0014]開示の追加の態様では、装置は、少なくとも１つのプロセッサと、プロセッサに結合されたメモリとを含む。プロセッサは、ＵＥが、サブフレーム中の非周期的な基準信号の存在をシグナリングする識別子を検出することと、ＵＥが、基地局からＣＳＩ要求を識別することと、ＵＥが、ＣＳＩ要求に応じて、非周期記述信号に基づいてＣＳＩレポートを生成することと、ＵＥが、基地局にＣＳＩレポートを送信することとを行うように構成される。
【図面の簡単な説明】
【００１５】
【図１】様々な実施形態にしたがった、ワイヤレス通信システムの例を例示する図を図示している。
【図２Ａ】様々な実施形態にしたがった、免許不要のスペクトルにおいてＬＴＥを使用するための配置シナリオの例を例示している図を図示している。
【図２Ｂ】様々な実施形態にしたがった、免許不要のスペクトルにおいてＬＴＥを使用するための配置シナリオの別の例を例示している図を図示している。
【図３】様々な実施形態にしたがった、免許要および免許不要のスペクトルにおいて同時にＬＴＥを使用するときのキャリアアグリゲーションの例を例示する図を図示している。
【図４】本開示の一態様にしたがって構成された基地局／ｅＮＢおよびＵＥの設計を概念的に例示しているブロック図である。
【図５】本開示の一態様をインプリメントするために実行される実例的なブロックを例示する機能ブロック図である。
【図６】本開示の一態様をインプリメントするために実行される実例的なブロックを例示する機能ブロック図である。
【図７】本開示の一態様にしたがって構成された基地局およびＵＥを例示するブロック図である。
【発明を実施するための形態】
【００１６】
[0022]添付の図面に関して、以下に示す発明を実施するための形態は、様々な構成を説明するように意図されており、本開示の範囲を限定するようにいとされてものではない。むしろ、発明を実施するための形態は、本発明の主題の完全な理解を与えるための具体的な詳細を含む。これら特定の詳細が全てのケースで必要とされるわけではないこと、および、いくつかの事例において、周知の構造およびコンポーネントが提示の明確さのためにブロック図形式で示されることは、当業者には明らかであろう。
【００１７】
[0023]オペレータはこれまでのところ、ＷｉＦｉを、セルラネットワーク中における輻輳の増大し続けるレベルを軽減するために免許不要のスペクトルを使用するためのプライマリメカニズムと考えてきた。しかしながら、免許不要のスペクトルを含むＬＴＥ／ＬＴＥ−Ａに基づく新しいキャリアタイプ（ＮＣＴ）は、キャリアグレードのＷｉＦｉと互換性があり、免許不要のスペクトルを有するＬＴＥ／ＬＴＥ−ＡをＷｉＦｉの代替としうる。免許不要のスペクトルを有するＬＴＥ／ＬＴＥ−Ａは、ＬＴＥの概念を活用しえ、免許不要のスペクトル中での効率的な動作を提供し、規制要件を満たすために、ネットワークまたはネットワークデバイスの物理レイヤ（ＰＨＹ）および媒体アクセス制御（ＭＡＣ）の態様に対していくつかの修正を導入しうる。免許不要のスペクトルは、例えば、６００メガヘルツ（ＭＨｚ）から６ギガヘルツ（ＧＨｚ）に及びうる。いくつかのシナリオでは、免許不要のスペクトルを用いるＬＴＥ／ＬＴＥ−Ａは、ＷｉＦｉよりも著しく優れた機能をしうる。例えば、全てのＷｉＦｉ展開と比較すると（単一または多数のオペレータのための）免許不要のスペクトル展開を有する全てのＬＴＥ／ＬＴＥ−Ａは、または密集した小さなセル展開が存在する場合、免許不要のスペクトルを有するＬＴＥ／ＬＴＥ−Ａは、ＷｉＦｉよりも著しく良好に機能しうる。免許不要のスペクトルを有するＬＴＥ／ＬＴＥ−Ａは、免許不要のスペクトルを有するＬＴＥ／ＬＴＥ−Ａが（単一または多数のオペレータのための）ＷｉＦｉと混合される場合のような他のシナリオにおいて、ＷｉＦｉよりもより良好に機能しうる。
【００１８】
[0024]単一のサービスプロバイダ（ＳＰ）の場合、免許不要のＬＴＥ／ＬＴＥ−Ａネットワークは、免許不要のスペクトル上でＬＴＥネットワークと同期するように構成されうる。しかしながら、多数のＳＰによって所与のチャネル上で展開された免許不要のスペクトルを有するＬＴＥ／ＬＴＥ−Ａネットワークは、多数のＳＰにわたって同期するように構成されうる。上記の特徴の両方を組み込むための１つのアプローチは、所与のＳＰのための、免許不要のスペクトルを有するＬＴＥ／ＬＴＥ−Ａネットワークと、免許不要のスペクトルを有さないＬＴＥ／ＬＴＥ−Ａネットワークとの間で一定のタイミングオフセットを使用することを伴いうる。免許不要のスペクトルを有するＬＴＥ／ＬＴＥ−Ａは、ＳＰのニーズにしたがってユニキャストおよび／またはマルチキャストサービスを提供しうる。その上、免許不要のスペクトルを有するＬＴＥ／ＬＴＥ−Ａネットワークは、ＬＴＥセルがアンカーとして機能し、関連するセル情報（例えば、無線フレームタイミング、共通チャネル構成、システムフレーム番号すなわちＳＦＮ、等）を免許不要のスペクトルを有するＬＴＥ／ＬＴＥ−Ａセルに提供するブートストラップモードで動作しうる。このモードにおいて、免許不要のスペクトルを有さないＬＴＥ／ＬＴＥ−Ａと、認可されているスペクトルを有するＬＴＥ／ＬＴＥ−Ａとの間で密接なインターワーキング（close interworking）が存在しうる。例えば、ブートストラップモードは、上述された補足的なダウンリンク（supplemental downlink）およびキャリアアグリゲーションモードをサポートしうる。免許不要のスペクトルを有するＬＴＥ／ＬＴＥ−ＡネットワークのＰＨＹ−ＭＡＣレイヤは、免許不要のスペクトルを有するＬＴＥ／ＬＴＥ−Ａネットワークが免許不要のスペクトルを有さないＬＴＥネットワークとは独立して動作するスタンドアロンモードで動作しうる。このケースにおいて、例えば、多数のセルおよび／または基地局にわたるマルチフロー、あるいは免許不要のスペクトルセルを有する／有さないコロケートされたＬＴＥ／ＬＴＥ−Ａを用いたＲＬＣレベルのアグリゲーションに基づいて、免許不要のスペクトルを有さないＬＴＥと、免許不要のスペクトルを有するＬＴＥ／ＬＴＥ−Ａとの間で緩いインターワーキング（loose interworking）が存在しうる。
【００１９】
[0025]本明細書で説明されている技術は、ＬＴＥに限定されず、ＣＤＭＡ、ＴＤＭＡ、ＦＤＭＡ、ＯＦＤＭＡ、ＳＣ−ＦＤＭＡおよび他のシステムのような様々なワイヤレス通信局システムのためにも使用されうる。「システム」および「ネットワーク」という用語は、度々、交換可能に使用される。ＣＤＭＡシステムは、ＣＤＭＡ２０００、ユニバーサル地上無線アクセス（ＵＴＲＡ）、等のような無線技術をインプリメントし得る。ｃｄｍａ２０００は、ＩＳ−２０００、ＩＳ−９５およびＩＳ−８５６規格をカバーする。ＩＳ−２０００リリース０およびＡは一般に、ＣＤＭＡ２０００ １Ｘ、１Ｘ、等と呼ばれる。ＩＳ−８５６（ＴＩＡ−８５６）は、一般的に、ＣＤＭＡ２０００ １ｘＥＶ−ＤＯ、高速パケットデータ（ＨＲＰＤ）、等と称される。ＵＴＲＡは、広帯域ＣＤＭＡ（ＷＣＤＭＡ（登録商標））およびＣＤＭＡの他のバリエーションを含む。ＴＤＭＡシステムは、移動通信のためのグローバルシステム（ＧＳＭ（登録商標））のような無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭａｘ）、ＩＥＥＥ８０２．２０、Ｆｌａｓｈ−ＯＦＤＭ等の無線技術をインプリメントすることができる。ＵＴＲＡおよびＥ−ＵＴＲＡは、ユニバーサルモバイルテレコミュニケーションシステム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体からの文書内において説明されている。ＣＤＭＡ２０００およびＵＭＢは、「第３世代パートナーシッププロジェクト２」（３ＧＰＰ２）という名称の団体からの文書内において説明されている。本明細書で説明される技法は、上述されたシステムおよび無線技術のみならず、他のシステムおよび無線技術に使用されうる。以下の説明は、しかしながら、実例を目的としてＬＴＥシステムを説明しており、ＬＴＥの専門用語が以下の説明の大部分において使用されているが、本技術はＬＴＥアプリケーションを超えて適用可能である。
【００２０】
[0026]したがって、以下の説明は例を提供するものであり、特許請求の範囲において記載される範囲、適用性、あるいは構成を限定するものではない。本開示の精神および範囲から逸脱することなく、説明される要素の機能および配置において変更がなされうる。様々な実施形態は、適宜、様々なプロシージャまたはコンポーネントを省略、代用、あるいは追加しうる。例えば、説明される方法が説明されるものとは異なる順序で遂行され、様々なステップが追加、省略、または組み合わされることがありうる。また、ある特定の実施形態に関して説明される特徴は、他の実施形態において組み合されうる。
【００２１】
[0027]まず図１を参照すると、図は、ワイヤレス通信システムの例、すなわちネットワーク１００を例示している。システム１００は、基地局（またはセル）１０５、通信デバイス１１５、およびコアネットワーク１３０を含む。基地局１０５は、（示されていない）基地局コントローラの制御下で通信デバイス１１５と通信し、それは、様々な実施形態においてコアネットワーク１３０または基地局１０５の一部でありうる。基地局１０５は、バックホールリンク１３２を通じてコアネットワーク１３０と制御情報および／またはユーザデータを通信しうる。実施形態では、基地局１０５は、直接的にあるいは間接的に、ワイヤードまたはワイヤレス通信リンクでありうるバックホールリンク１３４をわたって互いに通信することができる。システム１００は、多数のキャリア（異なる周波数の波形信号）上での動作をサポートしうる。マルチキャリア送信機は、多数のキャリア上で変調された信号を同時に送信することができる。例えば、各通信リンク１２５は、上述された様々な無線技術にしたがって変調されたマルチキャリア信号でありうる。各変調された信号は、異なるキャリア上で送られ、制御情報（例えば、基準信号、制御チャネル、等）、オーバヘッド情報、データ、等を搬送しうる。
【００２２】
[0028]基地局１０５は、１つまたは複数の基地局アンテナを介してデバイス１１５とワイヤレスで通信し得る。基地局１０５のサイトの各々は、それぞれの地理的エリア１１０のための通信カバレッジを提供し得る。いくつかの実施形態において、基地局１０５は、ベーストランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または何らかの他の適した用語で呼ばれうる。基地局のためのカバレッジエリア１１０は、カバレッジエリア（図示せず）の一部のみを構成するセクタに分割されうる。システム１００は、異なるタイプの基地局１０５（例えば、マクロ基地局、マイクロ基地局、および／またはピコ基地局）を含みうる。異なる技術に対してオーバーラップしているカバレッジエリアが存在しうる。
【００２３】
[0029]いくつかの実施形態では、システム１００は、１つまたは複数の動作の無認可スペクトルモードまたは配置シナリオをサポートするＬＴＥ／ＬＴＥ−Ａネットワークである。他の実施形態では、システム１００は、免許不要のスペクトルおよび免許不要のスペクトルを持つＬＴＥ／ＬＴＥ−Ａと異なるアクセス技術、または免許要のスペクトルおよびＬＴＥ／ＬＴＥ−Ａと異なるアクセス技術を使用してワイヤレス通信をサポートしうる。用語ノードＢ（ｅＮＢ）およびユーザ機器（ＵＥ）は一般に、基地局１０５およびデバイス１１５それぞれを説明するように使用されうる。システム１００は、異なるタイプのｅＮＢが様々な地理的領域にカバレッジを提供する免許不要のスペクトルを有するまたは有さない異種ＬＴＥ／ＬＴＥ−Ａネットワークでありうる。例えば、各ｅＮＢ１０５は、マクロセル、ピコセル、フェムトセル、および／または他のタイプのセルに通信カバレッジを提供しうる。ピコセル、フェムトセルのような小さなセル、および／または他のタイプのセルは、低電力ノードすなわちＬＰＮを含みうる。マクロセルは一般に、比較的大きい地理的エリア（例えば、半径数キロメートル）をカバーし、ネットワークプロバイダとの、サービスに加入しているＵＥによる無制限のアクセスを可能にしうる。ピコセルは一般に、比較的より小さい地理的エリアをカバーし、ネットワークプロバイダとの、サービスに加入しているＵＥによる無制限のアクセスを可能にしうる。フェムトセルもまた一般に、比較的小さい地理的エリア（例えば、家）をカバーし、無制限のアクセスに加えて、フェムトセルとの関連付けを有するＵＥ（例えば、クローズド加入者グループ（ＣＳＧ）中のＵＥ、家の中にいるユーザのためのＵＥ、等）による制限されたアクセスも提供しうる。マクロセルのためのｅＮＢは、マクロｅＮＢと呼ばれうる。ピコセルのためのｅＮＢは、ピコｅＮＢと称されうる。そして、フェムトセルのためのｅＮＢは、フェムトｅＮＢまたはホームｅＮＢと呼ばれうる。ｅＮＢは、１つまたは多数（例えば、２つ、３つ、４つ、等）のセルをサポートしうる。
【００２４】
[0030]コアネットワーク１３０は、バックホール１３２（例えば、Ｓ１、等）を介してｅＮＢ１０５と通信しうる。ｅＮＢ１０５はまた、例えば、バックホールリンク１３４（例えば、Ｘ２、等）を介しておよび／またはバックホールリンク１３２を介して（例えば、コアネットワーク１３０を通じて）、直接的または間接的に互いに通信しうる。システム１００は、同期または非同期動作をサポートすることができる。同期動作では、ｅＮＢは類似のフレームおよび／またはゲートタイミングを有し得、異なるｅＮＢからの送信が時間的に近似にアラインされうる。非同期動作では、ｅＮＢは異なるフレームおよび／またはゲートタイミングを有し得、異なるｅＮＢからの送信は、時間的にアラインされ得ない。本明細書で説明される技法は、同期または非同期動作のいずれかに対して使用されうる。
【００２５】
[0031]ＵＥ１１５は、システム１００全体にわたって分散され、各ＵＥは固定またはモバイルでありうる。ＵＥ１１５はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な用語で呼ばれうる。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、等でありうる。ＵＥは、マクロｅＮＢ、ピコｅＮＢ、フェムトｅＮＢ、リレー、等と通信することが可能でありうる。
【００２６】
[0032]システム１００で図示される通信リンク１２５は、モバイルデバイス１１５から基地局１０５へのアップリンク（ＵＬ）送信、および／または基地局１０５からモバイルデバイス１１５へのダウンリンク（ＤＬ）送信を含みうる。ダウンリンク送信はまた、順方向リンク送信と呼ばれ、一方でアップリンク送信は、逆方向リンク送信とも呼ばれうる。ダウンリンク送信は、免許要のスペクトル（例えば、ＬＴＥ）、免許不要のスペクトル（例えば、免許不要のスペクトルを有するＬＴＥ／ＬＴＥ−Ａ）、または両方（免許不要のスペクトルを有する／有さないＬＴＥ／ＬＴＥ−Ａ）を使用して行われうる。同様に、アップリンク送信は、免許要のスペクトル（例えば、ＬＴＥ）、免許不要のスペクトル（例えば、免許不要のスペクトルを有するＬＴＥ／ＬＴＥ−Ａ）、または両方（免許不要のスペクトルを有する／有さないＬＴＥ／ＬＴＥ−Ａ）を使用して行われうる。
【００２７】
[0033]システム１００のいくつかの実施形態では、免許要のスペクトルにおけるＬＴＥダウンリンク容量が免許不要のスペクトルにオフロードされうる付加ダウンリンク（ＳＤＬ）、ＬＴＥダウンリンクおよびアップリンク容量の両方が免許要のスペクトルから免許不要のスペクトルにオフロードされうるキャリアアグリゲーションモード、および基地局（例えば、ｅＮＢ）とＵＥとの間のＬＴＥダウンリンクおよびアップリンク通信が免許不要のスペクトルにおいて行われうるスタンドアロンモード、を含む、免許不要のスペクトルを用いるＬＴＥ／ＬＴＥ−Ａに関する様々な配置シナリオがサポートされうる。ＵＥ１１５と同様に基地局１０５は、これらの、または同様の動作のモードのうちの１つまたは複数をサポートしうる。ＯＦＤＭＡ通信信号は、免許不要のスペクトル中でのＬＴＥダウンリンク送信のために通信リンク１２５中で使用され、その一方でＳＣ−ＦＤＭＡ通信信号は、免許不要のスペクトル中でのＬＴＥアップリンク送信のために通信リンク１２５中で使用されうる。システム１００のようなシステム中における免許不要のスペクトルの展開シナリオまたは動作モードを有するＬＴＥ／ＬＴＥ−Ａのインプリメンテーションに関する追加の詳細、ならびに免許不要のスペクトルを有するＬＴＥ／ＬＴＥ−Ａの動作に関する他の特徴および機能が、図２Ａ−１７に関連して以下に提供される。
【００２８】
[0034]次に図２Ａを参照すると、図２００は、免許不要のスペクトルを有するＬＴＥ／ＬＴＥ−ＡをサポートするＬＴＥネットワークのための補足的なダウンリンクモードおよびキャリアアグリゲーションモードの例を示している。図２００は、図１のシステム１００の一部の例でありうる。さらに、基地局１０５−ａが図１の基地局１０５の例でありうると同時に、ＵＥ１１５−ａは図１のＵＥ１１５の例でありうる。
【００２９】
[0035]図２００における付加ダウンリンクモードの例では、基地局１０５−ａは、ダウンリンク２０５を使用してＯＦＤＭＡ通信信号をＵＥ１１５−ａに送信しうる。ダウンリンク２０５は、免許不要のスペクトルにおいて周波数Ｆ１に関連付けられる。基地局１０５−ａは、双方向リンク２１０を使用して同じＵＥ１１５−ａにＯＦＤＭＡ通信信号を送信し、双方向リンク２１０を使用してＵＥ１１５−ａからＳＣ−ＦＤＭＡ通信信号を受信しうる。双方向リンク２１０は、認可要のスペクトルにおいて周波数Ｆ４に関連付けられる。免許不要のスペクトルにおけるダウンリンク２０５および免許要のスペクトルにおける双方向リンク２１０は、同時に動作しうる。ダウンリンク２０５は、基地局１０５−ａにダウンリンク容量オフロードを提供しうる。いくつかの実施形態では、ダウンリンク２０５は、（例えば、１つのＵＥを対象とする）ユニキャストサービスのサービスのために、または（例えば、いくつかのＵＥを対象とする）マルチキャストサービスのために、使用されうる。このシナリオは、免許要のスペクトルを使用し、トラフィックおよび／またはシグナリング輻輳のうちのいくらかを軽減する必要がある任意のサービスプロバイダ（例えば、従来のモバイルネットワークオペレータすなわちＭＮＯ）とともに生じうる。
【００３０】
[0036]図２００におけるキャリアアグリゲーションモードの一例では、基地局１０５−ａは、双方向リンク２１５を使用してＵＥ１１５−ａにＯＦＤＭＡ通信信号を送信することができ、双方向リンク２１５を使用して、同じＵＥ１１５−ａからＳＣ−ＦＤＭＡ通信信号を受信することができる。双方向リンク２１５は、免許不要のスペクトルにおいて周波数Ｆ１に関連付けられる。基地局１０５−ａはまた、双方向リンク２２０を使用して同じＵＥ１１５−ａにＯＦＤＭＡ通信信号を送信し、双方向リンク２２０を使用して同じＵＥ１１５−ａからＳＣ−ＦＤＭＡ通信信号を受信しうる。双方向リンク２２０は、免許要のスペクトルにおいて周波数Ｆ２に関連付けられる。双方向リンク２１５は、基地局１０５−ａにダウンリンクおよびアップリンク容量オフロードを提供しうる。上述された付加ダウンリンクのように、このシナリオは、免許要のスペクトルを使用し、トラフィックおよび／またはシグナリング輻輳のうちのいくらかを軽減する必要がある任意のサービスプロバイダ（例えば、ＭＮＯ）とともに生じうる。
【００３１】
[0037]図２００におけるキャリアアグリゲーションモードの別の例では、基地局１０５−ａは、双方向リンク２２５を使用して同じＵＥ１１５−ａにＯＦＤＭＡ通信信号を送信し、双方向リンク２２５を使用して、同じＵＥ１１５−ａからＳＣ−ＦＤＭＡ通信信号を受信しうる。双方向リンク２２５は、免許不要のスペクトルにおいて周波数Ｆ３に関連付けられる。基地局１０５−ａはまた、双方向リンク２３０を使用して同じＵＥ１１５−ａにＯＦＤＭＡ通信信号を送信し、双方向リンク２３０を使用して同じＵＥ１１５−ａからＳＣ−ＦＤＭＡ通信信号を受信しうる。双方向リンク２３０は、免許要のスペクトルにおいて周波数Ｆ２に関連付けられる。双方向リンク２２５は、基地局１０５−ａにダウンリンクおよびアップリンク容量オフロードを提供しうる。この例および上記で提供されたものは、例示的な目的のために提示されたものであり、容量オフロードのために免許不要のスペクトルを有するまたは有さないＬＴＥ／ＬＴＥ−Ａを組み合わせる他の同様の動作モードまたは展開シナリオが存在しうる。
【００３２】
[0038]上で説明されたように、免許不要のスペクトルを有するＬＴＥ／ＬＴＥ−Ａを使用することによって提供される容量オフロードからの利益を得るうる典型的なサービスプロバイダは、ＬＴＥスペクトルを有する従来のＭＮＯである。これらのサービスプロバイダの場合、動作構成は、免許要のスペクトル上でＬＴＥプライマリコンポーネントキャリア（ＰＣＣ）を、および免許不要のスペクトル上でＬＴＥセカンダリコンポーネントキャリア（ＳＣＣ）を使用するブートストラップモード（例えば、補足的なダウンリンク、キャリアアグリゲーション）を含みうる。
【００３３】
[0039]補足的なダウンリンクモードでは、免許不要のスペクトルを有するＬＴＥ／ＬＴＥ−Ａに対する制御は、ＬＴＥアップリンク（例えば、双方向リンク２１０のアップリンク部分）にわたってトランスポートされうる。ダウンリンク容量オフロードを提供する理由のうちの１つは、データ需要がダウンリンク消費によって大きくかき立てられるからである。その上、このモードでは、ＵＥが免許不要のスペクトル中で送信していないことから規制影響が存在しないことがありうる。ＵＥ上でリッスンビフォアトーク（ＬＢＴ）またはキャリアセンス多元接続（ＣＳＭＡ：carrier sense multiple access）要件をインプリメントする必要はない。しかしながら、ＬＢＴは、例えば、無線フレーム境界に対してアラインされた、グラブアンドリリンクウィッシュメカニズム（grab-and-relinquish mechanism）および／または周期的な（例えば、１０ミリ秒ごとの）クリアチャネル評価（ＣＣＡ：clear channel assessment）を使用することによって基地局（例えば、ｅＮＢ）上でインプリメントされうる。
【００３４】
[0040]キャリアアグリゲーションモードでは、データおよび制御は、ＬＴＥ（例えば、双方向リンク２１０、２２０、および２３０）中で通信され、その一方でデータは、免許不要のスペクトルを有するＬＴＥ／ＬＴＥ−Ａ（例えば、双方向リンク２１５および２２５）中で通信されうる。キャリアアグリゲーションモードにおいて、データおよび制御は、ＬＴＥ（例えば、双方向リンク２１０、２２０、および２３０）中で通信され、その一方でデータは、免許不要のスペクトルを有するＬＴＥ／ＬＴＥ−Ａ（例えば、双方向リンク２１５および２２５）中で通信されうる。
【００３５】
[0041]図２Ｂは、免許不要のスペクトルを有するＬＴＥ／ＬＴＥ−Ａのためのスタンドアロンモードの例を例示する図２００−ａを示す。図２００−ａは、図１のシステム１００の一部の例でありうる。その上、基地局１０５−ｂは、図１の基地局１０５および図２Ａの基地局１０５−ａの例である一方、ＵＥ１１５−ｂは、図１のＵＥ１１５および図２ＡのＵＥ１１５−ａの例でありうる。
【００３６】
[0042]図２００−ａ中のスタンドアロンモードの例において、基地局１０５−ｂは、双方向リンク２４０を使用してＵＥ１１５−ｂにＯＦＤＭＡ通信信号を送信し、双方向リンク２４０を使用してＵＥ１１５−ｂからＳＣ−ＦＤＭＡ通信信号を受信しうる。双方向リンク２４０は、図２Ａに関連して上述された免許不要のスペクトル中の周波数Ｆ３に関連付けられる。スタンドアロンモードは、スタジアム中でのアクセス（例えば、ユニキャスト、マルチキャスト）のような、非従来的なワイヤレスアクセスシナリオ中で使用されうる。この動作モードについての典型的なサービスプロバイダは、免許要のスペクトルを有していない、スタジアムの所有者、ケーブル会社、イベント主催者、ホテル、エンタープライズ、および大企業でありうる。これらのサービスプロバイダの場合、スタンドアロンモードについての動作構成は、免許不要のスペクトル上でＰＣＣを使用しうる。その上、ＬＢＴは、基地局およびＵＥの両方でインプリメントされうる。
【００３７】
[0043]次に図３を参照すると、図３００は、様々な実施形態にしたがって免許要のおよび免許不要のスペクトル中で同時にＬＴＥを使用する場合のキャリアアグリゲーションの例を例示している。図３００中のキャリアアグリゲーションスキームは、図２Ａに関連して上述されたハイブリッドＦＤＤ−ＴＤＤキャリアアグリゲーションに対応しうる。このタイプのキャリアアグリゲーションは、図１のシステム１００の少なくとも一部において使用されうる。その上、このタイプのキャリアアグリゲーションは、それぞれ、図１および図２Ａの基地局１０５および１０５−ａ中で、および／または、それぞれ、図１および図２ＡのＵＥ１１５および１１５−ａ中で使用されうる。
【００３８】
[0044]この例では、ＦＤＤ（ＦＤＤ−ＬＴＥ）は、ダウンリンク中のＬＴＥに関連して遂行され、第１のＴＤＤ（ＴＤＤ１）は、免許不要のスペクトルを含むＬＴＥ／ＬＴＥ−Ａに関連して遂行され、第２のＴＤＤ（ＴＤＤ２）は、免許要のスペクトルを有するＬＴＥに関連して遂行され、別のＦＤＤ（ＦＤＤ−ＬＴＥ）は、免許要のスペクトルを有するアップリンク中のＬＴＥに関連して遂行されうる。ＴＤＤ１は、６：４のＤＬ：ＵＬ比をもたらし、その一方でＴＤＤ２に関する比は、７：３である。時間スケール上では、異なる有効ＤＬ：ＵＬ比は、３：１、１：３、２：２、３：１、２：２、および３：１である。この例は、例示的な目的のために提示されるものであり、免許不要のスペクトルを有するまたは有さないＬＴＥ／ＬＴＥ−Ａの動作を組み合わせる他のキャリアアグリゲーションスキームが存在しうる。
【００３９】
[0045]図４は、基地局／ｅＮＢ１０５およびＵＥ１１５の設計のブロック図を示し、それらは、図１における基地局／ｅＮＢのうちの１つおよびＵＥのうちの１つでありうる。ｅＮＢ１０５は、アンテナ４３４ａ〜４３４ｔを装備され、ＵＥ１１５は、アンテナ４５２ａ〜４５２ｒを装備されうる。ｅＮＢ１０５では、送信プロセッサ４２０は、データソース４１２からデータを、コントローラ／プロセッサ４４０から制御情報を受信しうる。制御情報は、物理ブロードキャストチャネル（ＰＢＣＨ）、物理制御フォーマットインジケータチャネル（ＰＣＦＩＣＨ）、物理ハイブリッド自動再送要求インジケータチャネル（ＰＨＩＣＨ）、物理ダウンリンク制御チャネル（ＰＤＣＣＨ）、等のためのものでありうる。データは、物理ダウンリンク共有チャネル（ＰＤＳＣＨ）、等のためのものでありうる。送信プロセッサ４２０は、データシンボルおよび制御シンボルをそれぞれ取得するために、データと制御情報とを処理（例えば、符号化およびシンボルマッピング）することができる。送信プロセッサ４２０はまた、例えば、プライマリ同期信号（ＰＳＳ）、セカンダリ同期信号（ＳＳＳ）、およびセル固有の基準信号のための基準シンボルを生成しうる。送信（ＴＸ）多入力多出力（ＭＩＭＯ）プロセッサ４３０は、適用可能な場合、データシンボル、制御シンボル、および／または基準シンボルに空間処理（例えば、プリコーディング）を実行し得、出力シンボルストリームを変調器（ＭＯＤ）４３２ａ乃至４３２ｔに提供しうる。各変調器４３２は、出力サンプルストリームを取得するために、（例えば、ＯＦＤＭ等のために）それぞれの出力シンボルストリームを処理しうる。各変調器４３２はさらに、出力サンプルストリームを処理（例えば、アナログへコンバート、増幅、フィルタ、およびアップコンバート）して、ダウンリンク信号を取得しうる。変調器４３２ａ乃至４３２ｔからのダウンリンク信号は、アンテナ４３４ａ乃至４３４ｔのそれぞれによって送信されうる。
【００４０】
[0046]ＵＥ１１５では、アンテナ４５２ａ乃至４５２ｒは、ｅＮＢ１０５からダウンリンク信号を受信し、それぞれ、受信信号を復調器（ＤＥＭＯＤ）４５４ａ乃至４５４ｒに提供しうる。各復調器４５４はそれぞれの受信信号を調整（例えば、フィルタ、増幅、ダウンコンバート、およびデジタル化）して、入力サンプルを取得しうる。各復調器４５４は、受信シンボルを取得するために、（例えば、ＯＦＤＭ等のために）入力サンプルをさらに処理しうる。ＭＩＭＯ検出器４５６は、全ての復調器４５４ａ〜４５４ｒから、受信されたシンボルを取得し、適用可能な場合には受信されたシンボルに対してＭＩＭＯ検出を遂行し、検出されたシンボルを提供しうる。受信プロセッサ４５８は、検出シンボルを処理し（例えば、復調し、デインタリーブし、復号し）、データシンク４６０にＵＥ１２０のための復号されたデータを提供し、コントローラ／プロセッサ４８０に復号された制御情報を提供しうる。
【００４１】
[0047]アップリンク上において、ＵＥ１１５では、送信プロセッサ４６４は、データソース４６２から（例えば、物理アップリンク共有チャネル（ＰＵＳＣＨ）のための）データと、コントローラ／プロセッサ４８０から（例えば、物理アップリンク制御チャネル（ＰＵＣＣＨ）のための）制御情報とを受信および処理しうる。送信プロセッサ４６４はまた、基準信号のための基準シンボルを生成しうる。送信プロセッサ４６４からのシンボルは、適用可能な場合にはＴＸ ＭＩＭＯプロセッサ４６６によってプリコーディングされ、さらに（例えば、ＳＣ−ＦＤＭ、等のために）復調器４５４ａ〜４５４ｒによって処理され、ｅＮＢ１０５に送信されうる。ｅＮＢ１０５では、ＵＥ１１５からのアップリンク信号は、アンテナ４３４によって受信され、復調器４３２によって処理され、適用可能な場合にはＭＩＭＯ検出器４３６によって検出され、受信プロセッサ４３８によってさらに処理されて、ＵＥ１１５によって送られた、復号されたデータおよび制御情報を取得し得る。プロセッサ４３８は、復号されたデータをデータシンク４３９に、復号された制御情報をコントローラ／プロセッサ４４０に提供しうる。
【００４２】
[0048]コントローラ／プロセッサ４４０および４８０は、それぞれ、ｅＮＢ１０５およびＵＥ１１５における動作を指示しうる。ｅＮＢ１０５におけるコントローラ／プロセッサ４４０および／または他のプロセッサおよびモジュールは、本明細書で説明される技法のための様々な処理の実行を遂行または指示しうる。ＵＥ１１５におけるコントローラ／プロセッサ４８０および／または他のプロセッサおよびモジュールはまた、図５および６中に例示されている機能ブロックおよび／または本明細書で説明される技法のための他の処理の実行を遂行または指示しうる。メモリ４４２および４８２は、それぞれｅＮＢ１０５およびＵＥ１１５のためのデータおよびプログラムコードを記憶しうる。スケジューラ４４４は、ダウンリンクおよび／またはアップリンク上でのデータ送信のためにＵＥをスケジューリングしうる。
【００４３】
[0049]免許不要のスペクトルを有するＬＴＥ／ＬＴＥ−Ａネットワークのような、ＬＢＴ準拠の通信システムでは、チャネル状態情報（ＣＳＩ）を決定するために使用される基準信号（例えば、ＣＳＩ−ＲＳ、エンハンスド共通基準信号（ｅ−ＣＲＳ）、等）は、典型的に、ＣＣＡクリアランス（ＣＣＡ  clearance）を条件として送信される。ＣＣＡ動作がＣＳＩ−ＲＳサブフレーム上で頻繁にクリアを行わない（do not clear frequently on）場合、結果として生じるＣＳＩレポートは、古くなっており、不正確でありうる。古くなったＣＳＩレポートを防止する１つのソリューションは、ＣＳＩ−ＲＳ送信の周期性を増加させることである。しかしながら、これは、潜在的に、増加したオーバヘッドを引き起こし、展開における他のＵＥに対する追加の干渉の一因となるだろう。
【００４４】
[0050]本開示の様々な態様は、ＣＳＩ処理のための十分な基準信号を含む非周期的な基準信号を送信することに向けられる。例えば、選択された態様では、そのような非周期的な基準信号は、単一のサブフレームにわたって様々なパターンで送信されるＣＳＩ−ＲＳおよび干渉測定リソース（ＩＭＲ）を含みうる。ＣＳＩ−ＲＳは、チャネル推定を遂行するためにＵＥによって使用される一方、ＩＭＲは、チャネル干渉を推定するために使用されうる。追加の態様では、非周期的な基準信号は、共通基準信号（ＣＲＳ）を含みうる。ＣＲＳが非周期的な基準信号のために使用される場合、チャネル推定および干渉推定の両方は、ＣＲＳを使用して、ＵＥによって遂行されうる。この基準信号サブフレームが非周期的なやり方で送信されるので、送信基地局は、例えば、ＰＤＣＣＨを通じて、ダウンリンク制御信号を使用して、そのような非周期的な基準信号の存在の通知を提供しうる。例えば、そのような非周期的な基準信号の存在の通知は、送信基地局のカバレージ範囲内のＵＥが存在インジケータを検出するように、ＰＤＣＣＨの共通探索空間中に位置しうる。通知は、非周期的な基準信号と同じサブフレーム中で送られる、または非周期的な基準信号より前のサブフレーム（例えば、非周期的な基準信号送信より１つまたは複数前のサブフレーム）中で送信されうる。
【００４５】
[0051]本開示の様々な態様では、非周期的な基準信号の多重構成は、基地局が選択するために利用可能でありうることに注目されるべきである。これらの構成は、サブフレーム中で見つけられた様々なパターンの基準信号を定義し、サブフレーム内のトーンロケーションに特定の基準信号のマッピングを提供しうる。例えば、構成は、ＣＳＩ−ＲＳを搬送するサブフレームのトーンおよびＩＭＲを搬送するトーンをマップし、サポートするＬＴＥ／ＬＴＥ−Ａ基準中で現在定義されるＣＳＩ−ＲＳおよびＩＭＲ構成の識別を含みうる。基地局は、送信のための１つまたは複数の非周期的な基準信号構成を半静的に選択しうる。その後、半静的に選択された構成のセットから選択された特定の構成は、ＰＤＣＣＨ送信の許可または存在インジケータ中に、基地局によって示されうる。送信基地局の通信領域中の任意のＵＥは、このＰＤＣＣＨ情報のためにモニタするだろう。
【００４６】
[0052]ＵＥがデータ送信と非周期的な基準信号を混同することを避けるために、ＰＤＳＣＨは、非周期的な基準信号のまわりでレートマッチされるであろうことにさらに注意されるべきである。
【００４７】
[0053]図５は、本開示の１つの態様をインプリメントするために実行される実例的なブロックを例示する機能ブロック図である。ブロック５００で、基地局は、非周期的な基準信号の存在をシグナルする識別子を送信する。注意されるように、そのような識別子は、ＰＤＣＣＨのような制御チャネルの共通探索空間中で送信されうる。ブロック５０１で、基地局は、非周期的な基準信号を送信する。１つの事例的な態様では、非周期的な基準信号は、単一のサブフレームにわたるＣＳＩ−ＲＳおよびＩＭＲ信号の構成を含む。基地局は、非周期的な基準信号の多重構成から特定の構成を選択し、識別子信号中に現在の構成を示しうる。ブロック５０２で、その後、基地局は、基地局によってサービスされるＵＥのうちの任意のＵＥからＣＳＩレポートを受信する。ＣＳＩレポートは、ＩＭＲの干渉測定およびＣＳＩ−ＲＳに基づくチャネル推定のような、非周期的な基準信号に基づくだろう。
【００４８】
[0054]ＵＥの観点から、非周期的な基準信号と共に、ＵＥは、非周期的な基準信号上でＣＳＩ動作を遂行するために非周期的なＣＳＩ要求を検出するべきである。本開示の様々な態様は、明示的または暗示的なＣＳＩ要求のいずれかを提供しうる。例えば、非周期的なＣＳＩレポートは、基地局から特定のＵＥに送信された追加の要求信号を通じて各ＵＥに対して個々に要求されうる。そのようなＵＥ固有のＣＳＩ要求は、ＰＤＣＣＨのような、制御チャネルのＵＥ固有の探索空間中に含まれうる。ＵＥ固有の非周期的なＣＳＩ要求はまた、要求されたレポートのタイプの識別（identification）を含みうる。例えば、ＵＥ固有の要求は、プリコーディング行列インジケータ（ＰＭＩ）を有するまたは有さない、のいずれかについての広帯域または狭帯域レポートを要求しうる。
【００４９】
[0055]代替として、非周期的なＣＳＩ要求は、送信基地局によってサービスされる、すべてのＵＥに、またはＵＥのグループに対して暗示的且つ共通なものでありうる。暗示的な、非周期的なＣＳＩ要求の１つの例では、制御チャネルの共通探索空間中の存在インジケータは、非周期的な基準信号に基づいてＣＳＩをレポートするために、各ＵＥを暗示的にトリガしうる。したがって、ＵＥが、ＰＤＣＣＨのような、制御チャネルの共通探索空間において存在インジケータを検出する場合、非周期的な基準信号が検出される時に、ＣＳＩレポート動作を自動的に開始することになる。
【００５０】
[0056]図６は、本開示の１つの態様をインプリメントするために実行される実例的なブロックを例示する機能ブロック図である。ブロック６００で、ＵＥは、サブフレーム中の非周期的な基準信号の存在をシグナルする識別子を検出する。識別子は、非周期的な基準信号がインジケータと同じサブフレーム中にあることを示しうる、または、代替的に、非周期的な基準信号が固有の後のサブフレーム中に位置するだろうということを示しうる。ブロック６０１で、ＵＥは、基地局からのＣＳＩ要求を識別する。このＣＳＩ要求は、例えば、識別子信号の検出を通じて、暗示的に識別されうる、または、基地局からのＵＥ固有の要求の検出を通じて、明示的に識別されうる。ブロック６０２で、識別された要求に応じて、ＵＥは、非周期的な基準信号上で行われる動作に基づいてＣＳＩレポートを生成する。例えば、ＵＥは、非周期的な基準信号内に含まれるＣＳＩ−ＲＳを使用して、チャネル推定値を決定し、非周期的な基準信号内にさらに含まれるＩＭＲを使用して、チャネル干渉を決定しうる。ブロック６０３で、ＵＥは、基地局へＣＳＩレポートを送信する。
【００５１】
[0057]図７は、本開示の１つの態様に従って構成される基地局７００およびＵＥ７０２−７０３を例示するブロック図である。説明され、図１で例示されるように、基地局７００およびＵＥ７０２−７０３は、基地局１０５およびＵＥ１１５それぞれと同様の構成部分および機能性を含む。本開示の１つの態様では、基地局１０５は、送信ストリーム７０１にわたってＰＤＣＣＨを送信する。送信ストリーム７０１は、ＰＤＣＣＨ送信を含みうる、複数の制御チャネル要素（ＣＣＥ）７０２を含む。図７で例示されるＣＣＥ７０２は、基地局７００によって任意の所与のポイントで送信される全部のＣＣＥの一部のみを表わす。ＰＤＣＣＨは、共通探索空間およびＵＥ固有の探索空間の両方を含む。したがって、ＣＣＥ７０２の各々は、共通探索空間ＣＣＥ、ＵＥ固有の探索空間、または送信される信号の別のタイプでありうる。ＵＥ７０３および７０４は、基地局７００および受信送信ストリーム７０１によってサービスされうる。ＵＥ７０３および７０４の各々は、基地局７００によってサービスされるすべてのＵＥに共通のシステム情報を受信するように、共通探索空間 ＣＣＥ７０５にアクセスするのを知っている。更に、ＵＥ７０３は、特にＵＥ７０３に向けられた基地局７００からのシステム情報を受信するために、ＵＥ７０３   探索空間 ＣＣＥ７０６にアクセスするのを知っている。同様に、ＵＥ７０４は、特にＵＥ７０４に向けられた基地局７００からのシステム情報を受信するために、ＵＥ７０４ 探索空間 ＣＣＥ７０７にアクセスするのを知っている。
【００５２】
[0058]本開示の１つの態様では、基地局７００は、非周期的な基準信号の存在を示す共通探索空間 ＣＣＥ７０５内で識別子を送信する。識別子は、非周期的な基準信号が同じサブフレーム中に存在することを示す、または、非周期的な基準信号が位置することになる後続のサブフレームを識別しうる。本開示の第１の態様では、ＵＥ７０３および７０４は、非周期的なＣＳＩ要求として共通探索空間７０５内で検出された識別子を暗示的に使用することになる。したがって、ＵＥ７０３およびＵＥ７０４の両方は、その信号が受信される時、非周期的な基準信号に基づいてＣＳＩレポートを生成することになる。
【００５３】
[0059]本開示の別の態様では、基地局７００は、共通探索空間 ＣＣＥ７０５内で識別子を送信し、ＵＥ７０３に、ＵＥ７０３ 探索空間 ＣＣＥ７０６中に位置する、非周期的なＣＳＩ要求を、ＵＥ７０４に、ＵＥ７０４ 非周期的なＣＳＩ探索空間 ＣＣＥ  ７０７に位置する、非周期的なＣＳＩ要求をさらに送信する。ＵＥ固有の非周期的なＣＳＩ要求はまた、ＵＥ７０３および７０４から要求されたＣＳＩレポートのタイプを含みうる。例えば、ＵＥ７０３に対する非周期的なＣＳＩ要求は、ＰＭＩを有する狭帯域レポートを要求する一方、ＵＥ７０４に対する非周期的なＣＳＩ要求は、ＰＭＩを有さない広帯域レポートを要求しうる。したがって、ＵＥ７０３および７０４は、非周期的な基準信号が共通探索空間ＣＣＥ７０５中の識別子に基づいて、いつ、そしてどこで送信されることになるか知っており、且つ、これらに対応するＵＥ固有の探索空間における、基地局７００からのＵＥ固有のＣＳＩ要求の受信を通じてＣＳＩのあるタイプを生成することを知っていることになる。
【００５４】
[0060]本開示の追加の態様では、基地局７００が非周期的な基準信号のための構成を半静的に選択しうるのは注目されるべきである。その後、この選択された構成は、共通探索空間 ＣＣＥ７０５中で送信された識別子を通じて、ＵＥ７０および７０４に通信されうる。
【００５５】
[0061]当業者であれば、情報および信号が、様々な異なる技術および技法のうちのいずれかを使用して表され得ることを理解するであろう。例えば、上記の説明の全体にわたって参照されうる、データ、命令、コマンド、情報、信号、ビット、シンボル、およびチップは、電圧、電流、電磁波、磁場または磁粒子、光場または光学粒子、あるいはそれらの任意の組み合わせによって表わされうる。
【００５６】
[0062]図５および図６中の機能ブロックおよびモジュールは、プロセッサ、電子デバイス、ハードウェアデバイス、電子コンポーネント、論理回路、メモリ、ソフトウェアコード、ファームウェアコード、等、またはそれらの任意の組み合わせを備えうる。
【００５７】
[0063]当業者はさらに、本明細書の開示に関連して説明された様々な例示的な論理ブロック、モジュール、回路、およびアルゴリズムステップが、電子ハードウェア、コンピュータソフトウェア、または両方の組み合わせとして実現され得ることを理解するであろう。ハードウェアとソフトウェアとのこの互換性を明確に示すために、様々な例示的なコンポーネント、ブロック、モジュール、回路、およびステップが、それらの機能の観点から一般的に上述されている。そのような機能が、ハードウェアとして実現されるか、あるいはソフトウェアとして実現されるかは、特定のアプリケーションおよびシステム全体に課せられる設計制約に依存する。当業者は、説明された機能を特定のアプリケーションごとに様々な方法で実現し得るが、そのような実現の決定は、本開示の範囲からの逸脱を引き起こしているとして解釈されるべきではない。当業者はまた、本明細書において説明されたコンポーネント、方法、または相互作用の順序あるいは組み合わせが例に過ぎず、本開示の様々な態様のコンポーネント、方法、または相互作用が本明細書において例示および説明されたもの以外の方法で遂行あるいは組み合わされうることを容易に認識するであろう。
【００５８】
[0064]本明細書における開示に関連して説明された、様々な例示的な論理ブロック、モジュール、および回路は、本明細書で説明されている機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートゲートまたはトランジスタ論理、ディスクリートハードウェアコンポーネント、またはそれらのあらゆる組み合わせを用いて、実装されうる、または行われうる。汎用プロセッサは、マイクロプロセッサであり得るが、代替において、このプロセッサは、任意の従来のプロセッサ、コントローラ、マイクロコントローラ、またはステートマシン（state machine）であり得る。プロセッサはまた、例えば、ＤＳＰとマイクロプロセッサの組み合わせ、複数のマイクロプロセッサ、ＤＳＰコアと連結した１つ以上のマイクロプロセッサ、または任意の他のそのような構成のような、コンピューティングデバイスの組み合わせとして実現されうる。
【００５９】
[0065]本明細書の開示に関連して説明された方法またはアルゴリズムのステップは、ハードウェアで直接的に、プロセッサによって実行されるソフトウェアモジュールで、またはその２つの組み合わせで、具現化されうる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術で周知の任意の他の形態の記憶媒体内に存在しうる。典型的な記憶媒体は、プロセッサが記憶媒体から情報を読み取り、かつ記憶媒体に情報を書き込むことができるように、プロセッサに結合される。代替において、記憶媒体はプロセッサに一体化されうる。プロセッサおよび記憶媒体はＡＳＩＣ内に存在しうる。ＡＳＩＣは、ユーザ端末内に存在しうる。代替において、プロセッサおよび記憶媒体は、ユーザ端末内の離散コンポーネントとして存在しうる。
【００６０】
[0066]１つまたは複数の典型的な設計において、説明された機能は、ハードウェア、ソフトウェア、ファームウェア、またはそれらの任意の組み合わせでインプリメントされうる。ソフトウェアでインプリメントされた場合、その機能は、コンピュータ可読媒体上の１つ以上の命令またはコードとして記憶または送信され得る。コンピュータ可読媒体は、コンピュータ記憶媒体と１つの場所から別の場所へのコンピュータプログラムの転送を容易にする任意の媒体を含む通信媒体との両方を含む。コンピュータ可読記憶媒体は、汎用または特殊用途コンピュータによってアクセスされることができる任意の利用可能な媒体でありうる。限定ではなく例として、コンピュータ可読媒体は、ＲＡＭ、ＲＯＭ、ＥＥＰＲＯＭ（登録商標）、ＣＤ-ＲＯＭまたは他の光学ディスク記憶装置、磁気ディスク記憶装置または他の磁気記憶デバイス、あるいは命令またはデータ構造の形態で所望のプログラムコード手段を搬送または記憶するために使用されうる、および汎用または専用コンピュータ、あるいは汎用または専用プロセッサによってアクセスされうるあらゆる他の媒体を備えることができる。また、接続は、厳密にはコンピュータ可読媒体と称されうる。例えば、ソフトウェアがウェブサイト、サーバ、または他の遠隔ソースから、同軸ケーブル、光ファイバーケーブル、ツイストペア、またはデジタル加入者回線（ＤＳＬ）を使用して送信される場合には、同軸ケーブル、光ファイバーケーブル、ツイストペア、またはＤＳＬは、媒体の定義に含まれる。ディスク（disk）およびディスク（disc）は、本明細書で使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせはまた、コンピュータ可読媒体の範囲内に含まれるべきである。
【００６１】
[0067]請求項を含む本明細書で使用される場合、「および／または」という用語は、２つ以上の項目からなるリストで使用されるとき、リストされた項目のうちのいずれか１つが単独で採用されうること、または、リストされた項目のうちの２つ以上からなる任意の組み合わせが採用されうることを意味する。例えば、ある構成が、コンポーネントＡ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含みうる。また、請求項を含む本明細書で使用される場合、項目のリスト（例えば、「のうちの少なくとも１つ」または「のうちの１つまたは複数」のようなフレーズで始まる項目のリスト）において使用されるような「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【００６２】
[0068]本開示の先の説明は、本開示を製造または使用することをいずれの当業者にも可能にさせるために提供される。本開示に対する様々な変更は、当業者に容易に理解され、本明細書において定義された一般的な原理は、本開示の精神または範囲から逸脱せずに、他の変形例に適用されうる。よって、本開示は、本明細書で説明される例および設計に限定されるように意図されたものではなく、本明細書で開示された原理および新規の特徴と一貫する最大範囲であるが与えられる。
【図１】
2020017994.tif 000003
【図２Ａ】
2020017994.tif 000004
【図２Ｂ】
2020017994.tif 000005
【図３】
2020017994.tif 000006
【図４】
2020017994.tif 000007
【図５】
2020017994.tif 000008
【図６】
2020017994.tif 000009
【図７】
2020017994.tif 000010
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
基地局が、非周期的な基準信号の存在をシグナリングする識別子を送信すること、前記識別子は、物理ダウンリンク制御チャネル（ＰＤＣＣＨ）にわたって送信される、と、
前記基地局が、前記非周期的な基準信号および前記非周期的な基準信号のまわりでレートマッチされた物理ダウンリンク共有チャネル（ＰＤＳＣＨ）を送信することと、
前記基地局が、１つまたは複数のユーザ機器（ＵＥ）からのチャネル状態情報（ＣＳＩ）レポートを受信すること、前記ＣＳＩレポートは、前記非周期的な基準信号に基づく、と
を備える、方法。
【請求項２】
前記基地局が、前記１つまたは複数のＵＥの各々に対するＵＥ固有のＣＳＩ要求を送信することをさらに備える、
請求項１に記載の方法。
【請求項３】
前記ＵＥ固有のＣＳＩ要求は、要求されたＣＳＩレポートのタイプの識別を含む、
請求項２に記載の方法。
【請求項４】
前記識別子は、制御チャネルの共通探索空間において送信される、
請求項１に記載の方法。
【請求項５】
前記非周期的な基準信号は、単一サブフレーム上で送信される基準信号リソースのパターンを含む、
請求項１に記載の方法。
【請求項６】
前記基地局が、複数の基準信号リソースのパターンから前記基準信号リソースのパターンを準静的に構成することをさらに備え、前記識別子は、前記構成された基準信号リソースのパターンをさらに識別する、
請求項５に記載の方法。
【請求項７】
前記前記非周期的な基準信号は、
ＣＳＩ基準信号（ＣＳＩ−ＲＳ）、
干渉測定リソース（ＩＭＲ）、または
共通基準信号（ＣＲＳ）
のうちの少なくとも１つに関連付けられる、請求項１に記載の方法。
【請求項８】
前記識別子および前記非周期的な基準信号は、同じサブフレーム中で送信される、または
前記識別子は、第１のサブフレーム中で送信され、前記非周期的な基準信号は、前記第１のサブフレームの後の異なるサブフレーム上で送信される、
請求項１に記載の方法。
【請求項９】
ワイヤレス通信の方法であって、
ユーザ機器（ＵＥ）が、サブフレーム中の非周期的な基準信号の存在をシグナリングする識別子を受信すること、前記識別子は、物理ダウンリンク制御チャネル（ＰＤＣＣＨ）にわたって受信される、と、
前記ＵＥが、前記サブフレーム中の前記非周期的な基準信号を受信すること、ここにおいて、物理ダウンリンク共有チャネル（ＰＤＳＣＨ）は、前記非周期的な基準信号のまわりでレートマッチされる、と、
前記ＵＥが、前記非周期的な基準信号に基づいてＣＳＩレポートを生成することと、
前記ＵＥが、基地局に前記ＣＳＩレポートを送信することと
を備える、方法。
【請求項１０】
前記基地局からのＵＥ固有のＣＳＩ要求を受信すること、または
前記基地局からの前記ＰＤＣＣＨの共通探索空間において識別子を受信すること
のうちの少なくとも１つによって前記基地局からのＣＳＩ要求を識別することをさらに備える、請求項９に記載の方法。
【請求項１１】
前記ＵＥ固有のＣＳＩ要求は、要求されたＣＳＩレポートのタイプの識別を含む、
請求項１０に記載の方法。
【請求項１２】
前記非周期的な基準信号は、単一サブフレーム上で送信される基準信号リソースのパターンを含む、
請求項９に記載の方法。
【請求項１３】
前記識別子は、複数の基準信号リソースのパターンから前記基準信号リソースのパターンをさらに識別する、
請求項１２に記載の方法。
【請求項１４】
前記非周期的な基準信号は、
ＣＳＩ基準信号（ＣＳＩ−ＲＳ）、
干渉計測リソース（ＩＭＲ）、または
共通基準信号（ＣＲＳ）
のうちの少なくとも１つに関連付けられる、請求項９に記載の方法。
【請求項１５】
前記識別子および前記非周期的な基準信号は、同じサブフレーム中で受信される、または
前記識別子は、第１のサブフレーム中で受信され、前記非周期的な基準信号は、前記第１のサブフレームの後の異なるサブフレーム上で受信される、
請求項９に記載の方法。
【請求項１６】
ワイヤレス通信の方法であって、
少なくとも１つのプロセッサと、
前記少なくとも１つのプロセッサに結合されるメモリと
を備え、前記少なくとも１つのプロセッサは、
ユーザ機器（ＵＥ）が、サブフレーム中の非周期的な基準信号の存在をシグナリングする識別子を受信すること、識別子は、物理ダウンリンク制御チャネル（ＰＤＣＣＨ）にわたって受信される、と、
前記ＵＥが、前記サブフレーム中の前記非周期的な基準信号を受信すること、ここにおいて、物理ダウンリンク共有チャネル（ＰＤＳＣＨ）は、前記非周期的な基準信号のまわりでレートマッチされる、と、  前記ＵＥが、前記非周期的な基準信号に基づいてＣＳＩレポートを生成することと、
前記ＵＥが、基地局に前記ＣＳＩレポートを送信することと
を行うように構成される、装置。
【請求項１７】
前記基地局からのＵＥ固有のＣＳＩ要求を受信すること、または
前記基地局からの前記ＰＤＣＣＨの共通探索空間において識別子を受信すること
のうちの少なくとも１つによって、前記基地局からのＣＳＩ要求を識別することを行う、前記少なくとも１つのプロセッサの構成をさらに備える、請求項１６に記載の装置。
【請求項１８】
前記ＵＥ固有のＣＳＩ要求は、要求されたＣＳＩレポートのタイプの識別を含む、
請求項１７に記載の装置。
【請求項１９】
前記非周期的な基準信号は、単一サブフレーム上で送信される基準信号リソースのパターンを含み、前記識別子は、複数の基準信号リソースのパターンから前記基準信号リソースのパターンをさらに識別する、
請求項１６に記載の装置。
【請求項２０】
前記非周期的な基準信号は、
ＣＳＩ基準信号（ＣＳＩ−ＲＳ）、
干渉計測リソース（ＩＭＲ）、または
共通基準信号（ＣＲＳ）
のうちの少なくとも１つに関連付けられる、請求項１６に記載の装置。
【請求項２１】
前記識別子および前記非周期的な基準信号は、同じサブフレーム中で受信される、または
前記識別子は、第１のサブフレーム中で受信され、前記非周期的な基準信号は、前記第１のサブフレームの後の異なるサブフレーム上で受信される、
請求項１６に記載の装置。
【請求項２２】
ワイヤレス通信のためのコードを記憶する非一時的コンピュータ可読媒体であって、前記コードは、
ユーザ機器（ＵＥ）が、サブフレーム中の非周期的な基準信号の存在をシグナリングする識別子を受信すること、識別子は、物理ダウンリンク制御チャネル（ＰＤＣＣＨ）にわたって受信される、と、
前記ＵＥが、前記サブフレーム中の前記非周期的な基準信号を受信すること、ここにおいて、物理ダウンリンク共有チャネル（ＰＤＳＣＨ）は、前記非周期的な基準信号のまわりでレートマッチされる、と、
前記ＵＥが、前記非周期的な基準信号に基づいてＣＳＩレポートを生成することと、
前記ＵＥが、基地局に前記ＣＳＩレポートを送信することと
を行うように実行可能な命令を備える、非一時的コンピュータ可読媒体。
【請求項２３】
前記コードは、
前記基地局からのＵＥ固有のＣＳＩ要求を受信すること、または
前記基地局からの前記ＰＤＣＣＨの共通探索空間において識別子を受信すること
のうちの少なくとも１つによって前記基地局からのＣＳＩ要求を識別することを行うように実行可能な命令をさらに備える、請求項２２に記載の非一時的コンピュータ可読媒体。
【請求項２４】
前記ＵＥ固有のＣＳＩ要求は、要求されたＣＳＩレポートのタイプの識別を含む、
請求項２３に記載の非一時的コンピュータ可読媒体。
【請求項２５】
前記非周期的な基準信号は、単一サブフレーム上で送信される基準信号リソースのパターンを含み、前記識別子は、複数の基準信号リソースのパターンから前記基準信号リソースのパターンをさらに識別する、
請求項２２に記載の非一時的コンピュータ可読媒体。
【請求項２６】
前記非周期的な基準信号は、
ＣＳＩ基準信号（ＣＳＩ−ＲＳ）、
干渉計測リソース（ＩＭＲ）、または
共通基準信号（ＣＲＳ）
のうちの少なくとも１つに関連付けられる、請求項２２に記載の非一時的コンピュータ可読媒体。
【請求項２７】
前記識別子および前記非周期的な基準信号は、同じサブフレーム中で受信される、または
前記識別子は、第１のサブフレーム中で受信され、前記非周期的な基準信号は、前記第１のサブフレームの後の異なるサブフレーム上で受信される、
請求項２２に記載の非一時的コンピュータ可読媒体。
【手続補正２】
【補正対象書類名】明細書
【補正対象項目名】００６２
【補正方法】変更
【補正の内容】
【００６２】
[0068]本開示の先の説明は、本開示を製造または使用することをいずれの当業者にも可能にさせるために提供される。本開示に対する様々な変更は、当業者に容易に理解され、本明細書において定義された一般的な原理は、本開示の精神または範囲から逸脱せずに、他の変形例に適用されうる。よって、本開示は、本明細書で説明される例および設計に限定されるように意図されたものではなく、本明細書で開示された原理および新規の特徴と一貫する最大範囲であるが与えられる。
以下に、本願出願の当初の特許請求の範囲に記載された発明を付記する。
［Ｃ１］
ワイヤレス通信の方法であって、
基地局が、非周期的な基準信号の存在をシグナリングする識別子を送信することと、
前記基地局が、前記非周期的な基準信号を送信することと、
前記基地局が、１つまたは複数のユーザ機器（ＵＥ）からのチャネル状態情報（ＣＳＩ）レポートを受信すること、前記ＣＳＩレポートは、前記非周期的な基準信号に基づく、と
を備える、方法。
［Ｃ２］
前記基地局が、前記１つまたは複数のＵＥの各々に対するＵＥ固有のＣＳＩ要求を送信することをさらに備える、
［Ｃ１］に記載の方法。
［Ｃ３］
前記ＵＥ固有のＣＳＩ要求は、要求されたＣＳＩレポートのタイプの識別を含む、
［Ｃ２］に記載の方法。
［Ｃ４］
前記識別子は、制御チャネルの共通探索空間において送信される、
［Ｃ１］に記載の方法。
［Ｃ５］
前記非周期的な基準信号は、単一サブフレーム上で送信される基準信号リソースのパターンを含む、
［Ｃ１］に記載の方法。
［Ｃ６］
前記基地局が、複数の基準信号リソースのパターンから前記基準信号リソースのパターンを準静的に構成することをさらに備え、前記識別子は、前記構成された基準信号リソースのパターンをさらに識別する、
［Ｃ５］に記載の方法。
［Ｃ７］
前記基準信号リソースは、
ＣＳＩ基準信号（ＣＳＩ−ＲＳ）、
干渉測定リソース（ＩＭＲ）、または
共通基準信号（ＣＲＳ）
のうちの少なくとも１つを含む、［Ｃ５］に記載の方法。
［Ｃ８］
前記識別子および前記非周期的な基準信号は、同じサブフレーム中で送信される、または
前記識別子は、第１のサブフレーム中で送信され、前記非周期的な基準信号は、前記第１サブフレームの後の異なるサブフレーム上で送信される、
［Ｃ１］に記載の方法。
［Ｃ９］
ワイヤレス通信の方法であって、
ユーザ機器（ＵＥ）が、サブフレーム中の非周期的な基準信号の存在をシグナリングする識別子を検出することと、
前記ＵＥが、基地局からのチャネル状態情報（ＣＳＩ）要求を識別することと、
前記ＵＥが、前記ＣＳＩ要求に応じて前記非周期的な基準信号に基づいてＣＳＩレポートを生成することと、
前記ＵＥが、前記基地局に前記ＣＳＩレポートを送信することと
を備える、方法。
［Ｃ１０］
前記ＣＳＩ要求を前記識別することは、
前記基地局からのＵＥ固有のＣＳＩ要求を受信すること、または
前記基地局からの制御チャネルの共通探索空間において識別子を検出すること
のうちの１つを含む、［Ｃ９］に記載の方法。
［Ｃ１１］
前記ＵＥ固有のＣＳＩ要求は、要求されたＣＳＩレポートのタイプの識別を含む、
［Ｃ１０］に記載の方法。
［Ｃ１２］
前記非周期的な基準信号は、単一サブフレーム上で送信される基準信号リソースのパターンを含む、
［Ｃ９］に記載の方法。
［Ｃ１３］
前記識別子は、複数の基準信号リソースのパターンから前記基準信号リソースのパターンをさらに識別する、
［Ｃ１２］に記載の方法。
［Ｃ１４］
前記基準信号リソースは、
ＣＳＩ基準信号（ＣＳＩ−ＲＳ）、
干渉計測リソース（ＩＭＲ）、または
共通基準信号（ＣＲＳ）
のうちの少なくとも１つを含む、［Ｃ１２］に記載の方法。
［Ｃ１５］
前記識別子および前記非周期的な基準信号は、同じサブフレーム中で受信される、または
前記識別子は、第１のサブフレーム中で受信され、前記非周期的な基準信号は、前記第１サブフレームの後の異なるサブフレーム上で受信される、
［Ｃ９］に記載の方法。
［Ｃ１６］
ワイヤレス通信のために構成される装置であって
少なくとも１つのプロセッサと、
前記少なくとも１つのプロセッサに結合されるメモリと
を備え、前記少なくとも１つのプロセッサは、
基地局が、非周期的な基準信号の存在をシグナリングする識別子を送信することと、
前記基地局が、前記非周期的な基準信号を送信することと、
前記基地局が、１つまたは複数のユーザ機器（ＵＥ）からのチャネル状態情報（ＣＳＩ）レポートを受信すること、ここにおいて、前記ＣＳＩレポートは、前記非周期的な基準信号に基づく、と
を備える、装置。
［Ｃ１７］
前記基地局が、前記１つまたは複数のＵＥの各々に対するＵＥ固有のＣＳＩ要求を送信するように前記少なくとも１つのプロセッサの構成をさらに含む、
［Ｃ１６］に記載の装置。
［Ｃ１８］
前記ＵＥ固有のＣＳＩ要求は、要求されたＣＳＩレポートのタイプの識別を含む、
［Ｃ１７］に記載の装置。
［Ｃ１９］
前記識別子は、制御チャネルの共通探索空間において送信される、
［Ｃ１６］に記載の装置。
［Ｃ２０］
前記非周期的な基準信号は、単一サブフレーム上で送信される基準信号リソースのパターンを含む、
［Ｃ１６］に記載の装置。
［Ｃ２１］
前記基地局が、複数の基準信号リソースのパターンから前記基準信号リソースのパターンを準静的に構成する前記少なくとも１つのプロセッサの構成をさらに含み、前記識別子は、前記構成された基準信号リソースのパターンをさらに識別する、
［Ｃ２０］に記載の装置。
［Ｃ２２］
前記基準信号リソースは、
ＣＳＩ基準信号（ＣＳＩ−ＲＳ）、
干渉測定リソース（ＩＭＲ）、または
共通基準信号（ＣＲＳ）
のうちの少なくとも１つを含む、［Ｃ２０］に記載の装置。
［Ｃ２３］
前記識別子および前記非周期的な基準信号は、同じサブフレーム中で送信される、または
前記識別子は、第１のサブフレーム中で送信され、前記非周期的な基準信号は、前記第１サブフレームの後の異なるサブフレーム上で送信される、
［Ｃ１６］に記載の装置。
［Ｃ２４］
ワイヤレス通信の方法であって、
少なくとも１つのプロセッサと、
前記少なくとも１つのプロセッサに結合されるメモリと
を備え、前記少なくとも１つのプロセッサは、
ユーザ機器（ＵＥ）が、サブフレーム中の非周期的な基準信号の存在をシグナリングする識別子を検出することと、
前記ＵＥが、基地局からのチャネル状態情報（ＣＳＩ）要求を識別することと、
前記ＵＥが、前記ＣＳＩ要求に応じて前記非周期的な基準信号に基づいてＣＳＩレポートを生成することと、
前記ＵＥが、前記基地局に前記ＣＳＩレポートを送信することと
を行うように構成される、装置。
［Ｃ２５］
前記ＣＳＩ要求を識別する前記少なくとも１つのプロセッサの前記構成は、
前記基地局からのＵＥ固有のＣＳＩ要求を受信する前記少なくとも１つのプロセッサの構成、または
前記基地局からの制御チャネルの共通探索空間中に前記識別子を検出する前記少なくとも１つのプロセッサの前記構成
のうちの１つを含む、［Ｃ２４］に記載の装置。
［Ｃ２６］
前記ＵＥ固有のＣＳＩ要求は、要求されたＣＳＩレポートのタイプの識別を含む、
［Ｃ２５］に記載の装置。
［Ｃ２７］
前記非周期的な基準信号は、単一サブフレーム上で送信される基準信号リソースのパターンを含み、前記識別子は、複数の基準信号リソースのパターンから前記基準信号リソースのパターンをさらに識別する、
［Ｃ２４］に記載の装置。
［Ｃ２８］
前記基準信号リソースは、
ＣＳＩ基準信号（ＣＳＩ−ＲＳ）、
干渉計測リソース（ＩＭＲ）、または
共通基準信号（ＣＲＳ）
のうちの少なくとも１つを含む、［Ｃ２７］に記載の装置。
［Ｃ２９］
前記識別子および前記非周期的な基準信号は、同じサブフレーム中で受信される、または
前記識別子は、第１のサブフレーム中で受信され、前記非周期的な基準信号は、前記第１サブフレームの後の異なるサブフレーム上で受信される、
［Ｃ２４］に記載の装置。